(57)【要約】【課題】患者に対して輸血または輸液を行なう際に、誤輸血または誤輸液を容易かつ確実に防止することができ、かつ、輸血または輸液を迅速に開始することができる誤輸血・輸液防止システムを提供する。【解決手段】誤輸血・輸液防止システム１は、輸血または輸液用の液が収納されたバッグ３が接続される輸血・輸液セット２と、患者１００の手首に装着されるリストバンド４と、制御装置５と、バッグ３のバーコード１１およびリストバンド４のバーコード１２を読み取るバーコードリーダー６と、輸血・輸液セット２のチューブ２１内の流路を開放可能に閉鎖してバッグ３内の液の患者１００への供給を禁止する閉鎖部材９と、閉鎖部材９による前記流路の閉鎖状態を解除してその流路を開放することにより、バッグ３内の液の患者１００への供給の禁止を解除する開放装置７とを有している。【選択図】図１
2005287808.tif 000002
【特許請求の範囲】
【請求項１】
患者に供給する輸血または輸液用の液が収納された容器が接続される輸血・輸液セットを用いて、患者に対して輸血または輸液を行なう際に、誤輸血または誤輸液を防止する誤輸血・輸液防止システムであって、
前記輸血・輸液セットの流路を開放可能に閉鎖して前記容器内の液の患者への供給を禁止する閉鎖手段と、
前記閉鎖手段による前記流路の閉鎖状態を解除して該流路を開放することにより、前記容器内の液の患者への供給の禁止を解除する開放手段と、
前記患者と前記容器との組み合わせが適切であるか否かを判別する判別手段と、
前記容器側に設けられた第１の被読み取り部と、
前記第１の被読み取り部を読み取る第１の読み取り手段と、
前記患者側に設けられた第２の被読み取り部と、
前記第２の被読み取り部を読み取る第２の読み取り手段とを有し、
前記第１の被読み取り部および前記第２の被読み取り部には、それぞれ、照合することにより前記患者と前記容器との組み合わせが適切であるか否かが判る情報が含まれており、
前記判別手段により、前記第１の読み取り手段によって読み取られた前記第１の被読み取り部に含まれる情報と、前記第２の読み取り手段によって読み取られた前記第２の被読み取り部に含まれる情報とに基づいて、前記患者と前記容器との組み合わせが適切であるか否かを判別し、
前記判別手段により前記患者と前記容器との組み合わせが不適切であると判別された場合には、前記閉鎖手段により前記流路の閉鎖状態が維持され、前記容器内の液の患者への供給を禁止し、
前記判別手段により前記患者と前記容器との組み合わせが適切であると判別された場合には、前記開放手段が作動し、前記閉鎖手段による前記流路の閉鎖状態を解除して該流路を開放することにより、前記容器内の液の患者への供給の禁止を解除するよう構成されていることを特徴とする誤輸血・輸液防止システム。
【請求項２】
前記閉鎖手段は、前記輸血・輸液セットの流路の少なくとも一部を構成するチューブに設けられ、前記チューブ内の流路を開放する形状に形状記憶された形状記憶合金で構成された閉鎖部材であり、該閉鎖部材を、前記チューブを押し潰して該チューブ内の流路を閉鎖するように変形させて、前記チューブに装着する請求項１に記載の誤輸血・輸液防止システム。
【請求項３】
前記開放手段は、前記閉鎖部材を加熱する加熱手段を有し、該加熱手段により前記閉鎖部材を加熱して形状記憶されている元の形状に復元させ、前記チューブ内の流路を開放するよう構成されている請求項２に記載の誤輸血・輸液防止システム。
【請求項４】
前記第１の読み取り手段は、前記第２の読み取り手段を兼ねる請求項１ないし３のいずれかに記載の誤輸血・輸液防止システム。
【発明の詳細な説明】
【技術分野】
【０００１】
本発明は、誤輸血・輸液防止システムに関するものである。
【背景技術】
【０００２】
患者に供給する輸血または輸液用の液が収納されたバッグを輸血・輸液セットに接続し、これを用いて患者に対して輸血または輸液を行なう場合、例えば、確認ミスや、確認忘れ等により、患者への輸血用血液の取り間違いが稀に生じることがある。
【０００３】
このような患者への輸血用血液の取り間違いを防止する装置として、例えば、特許文献１に記載されている装置が提案されている。この装置では、輸血の際、患者と輸血用血液との照合結果を表示器に表示させ、医師等がその表示を確認することにより、患者への輸血用血液の取り間違いを防止する。
【０００４】
しかしながら、前記特許文献１に記載されている装置では、医師等が表示された照合結果を確認することにより、患者への輸血用血液の取り間違いを防止するので、人的なミスが生じる可能性があり、確実性に欠ける。
【０００５】
【特許文献１】特開平８−７１１４８号公報
【発明の開示】
【発明が解決しようとする課題】
【０００６】
本発明の目的は、患者に対して輸血または輸液を行なう際に、誤輸血または誤輸液を容易かつ確実に防止することができ、かつ、輸血または輸液を迅速に開始することができる誤輸血・輸液防止システムを提供することにある。
【課題を解決するための手段】
【０００７】
このような目的は、下記（１）〜（１３）の本発明により達成される。
（１）  患者に供給する輸血または輸液用の液が収納された容器が接続される輸血・輸液セットを用いて、患者に対して輸血または輸液を行なう際に、誤輸血または誤輸液を防止する誤輸血・輸液防止システムであって、
前記輸血・輸液セットの流路を開放可能に閉鎖して前記容器内の液の患者への供給を禁止する閉鎖手段と、
前記閉鎖手段による前記流路の閉鎖状態を解除して該流路を開放することにより、前記容器内の液の患者への供給の禁止を解除する開放手段と、
前記患者と前記容器との組み合わせが適切であるか否かを判別する判別手段と、
前記容器側に設けられた第１の被読み取り部と、
前記第１の被読み取り部を読み取る第１の読み取り手段と、
前記患者側に設けられた第２の被読み取り部と、
前記第２の被読み取り部を読み取る第２の読み取り手段とを有し、
前記第１の被読み取り部および前記第２の被読み取り部には、それぞれ、照合することにより前記患者と前記容器との組み合わせが適切であるか否かが判る情報が含まれており、
前記判別手段により、前記第１の読み取り手段によって読み取られた前記第１の被読み取り部に含まれる情報と、前記第２の読み取り手段によって読み取られた前記第２の被読み取り部に含まれる情報とに基づいて、前記患者と前記容器との組み合わせが適切であるか否かを判別し、
前記判別手段により前記患者と前記容器との組み合わせが不適切であると判別された場合には、前記閉鎖手段により前記流路の閉鎖状態が維持され、前記容器内の液の患者への供給を禁止し、
前記判別手段により前記患者と前記容器との組み合わせが適切であると判別された場合には、前記開放手段が作動し、前記閉鎖手段による前記流路の閉鎖状態を解除して該流路を開放することにより、前記容器内の液の患者への供給の禁止を解除するよう構成されていることを特徴とする誤輸血・輸液防止システム。
【０００８】
（２）  前記閉鎖手段は、前記輸血・輸液セットの流路の少なくとも一部を構成するチューブに設けられ、前記チューブ内の流路を開放する形状に形状記憶された形状記憶合金で構成された閉鎖部材であり、該閉鎖部材を、前記チューブを押し潰して該チューブ内の流路を閉鎖するように変形させて、前記チューブに装着する上記（１）に記載の誤輸血・輸液防止システム。
【０００９】
（３）  前記開放手段は、前記閉鎖部材を加熱する加熱手段を有し、該加熱手段により前記閉鎖部材を加熱して形状記憶されている元の形状に復元させ、前記チューブ内の流路を開放するよう構成されている上記（２）に記載の誤輸血・輸液防止システム。
【００１０】
（４）  前記第１の読み取り手段は、前記第２の読み取り手段を兼ねる上記（１）ないし（３）のいずれかに記載の誤輸血・輸液防止システム。
【００１１】
（５）  前記第１の被読み取り部は、前記容器に設けられ、前記第２の被読み取り部に含まれる情報と照合することにより前記患者と前記容器との組み合わせが適切であるか否かが判る情報を担持する第１の情報担持体である上記（１）ないし（４）のいずれかに記載の誤輸血・輸液防止システム。
【００１２】
（６）  前記第１の情報担持体は、バーコードまたはＩＣタグである上記（５）に記載の誤輸血・輸液防止システム。
【００１３】
（７）  前記第１の情報担持体が担持する情報には、前記患者を特定し得る情報と、前記容器を特定し得る情報と、前記容器内の液を特定し得る情報と、前記容器内の液の血液型に関する情報とのうちの少なくとも１つが含まれる上記（５）または（６）に記載の誤輸血・輸液防止システム。
【００１４】
（８）  前記第２の被読み取り部は、前記患者に装着される装着部材に設けられ、前記第１の被読み取り部に含まれる情報と照合することにより前記患者と前記容器との組み合わせが適切であるか否かが判る情報を担持する第２の情報担持体である上記（１）ないし（７）のいずれかに記載の誤輸血・輸液防止システム。
【００１５】
（９）  前記第２の情報担持体は、バーコードまたはＩＣタグである上記（８）に記載の誤輸血・輸液防止システム。
【００１６】
（１０）  前記第２の情報担体が担持する情報には、前記患者を特定し得る情報と、前記容器を特定し得る情報と、前記容器内の液を特定し得る情報と、前記患者の血液型に関する情報とのうちの少なくとも１つが含まれる上記（８）または（９）に記載の誤輸血・輸液防止システム。
【００１７】
（１１）  前記第２の被読み取り部は、前記患者に備わっている該患者に固有のパターンである上記（１）ないし（７）のいずれかに記載の誤輸血・輸液防止システム。
【００１８】
（１２）  さらに、前記判別手段による判別結果を報知する報知手段を有する上記（１）ないし（１１）のいずれかに記載の誤輸血・輸液防止システム。
【００１９】
（１３）  さらに、前記輸血・輸液セットを有する上記（１）ないし（１２）のいずれかに記載の誤輸血・輸液防止システム。
【発明の効果】
【００２０】
本発明によれば、患者に対して輸血や輸液を行なう際に、自動的に、患者と輸血または輸液用の液が収納された容器との組み合わせが不適切であるか否かを判別し、不適切な場合には、前記容器内の液の患者への供給を禁止し、適切な場合には、前記容器内の液の患者への供給の禁止を解除する（容器内の液の患者への供給が可能になる）。
【００２１】
これにより、誤輸血や誤輸液を容易かつ確実に防止することができる。また、患者と容器との組み合わせが適切な場合は、自動的に前記容器内の液の患者への供給の禁止が解除されるので、輸血や輸液を迅速に開始することができる。
【発明を実施するための最良の形態】
【００２２】
以下、本発明の誤輸血・輸液防止システムを添付図面に示す好適実施形態に基づいて詳細に説明する。
【００２３】
図１は、本発明の誤輸血・輸液防止システムの実施形態を模式的に示す図、図２は、図１に示す誤輸血・輸液防止システムの主要部分を示すブロック図である。なお、図１には、点線で囲まれた部分を拡大した図も示されている。
【００２４】
これらの図に示す誤輸血・輸液防止システム１は、患者１００に供給する輸血または輸液用の液が収納されたバッグ（容器）３が接続される輸血・輸液セット２を用いて、患者１００に対して輸血または輸液を行なう際に、誤輸血または誤輸液を防止するシステムである。
【００２５】
図１および図２に示すように、誤輸血・輸液防止システム１は、患者１００に供給する輸血または輸液用の液が収納されたバッグ（容器）３が接続される輸血・輸液セット２と、患者１００の手首に着脱自在に装着されるリストバンド（装着部材）４と、制御装置（制御手段）５と、後述するバーコード１１および１２をそれぞれ読み取るバーコードリーダー（読み取り手段）６と、輸血・輸液セット２のチューブ２１内の流路を開放可能に閉鎖してバッグ３内の液の患者１００への供給を禁止する閉鎖部材（閉鎖手段）９と、閉鎖部材９による前記流路の閉鎖状態を解除してその流路を開放することにより、バッグ３内の液の患者１００への供給の禁止を解除する（バッグ３内の液の患者１００への供給を可能にする）開放装置（開放手段）７と、所定の情報を表示（報知）する表示装置（報知手段）８とを有している。なお、バーコードリーダー６は、バッグ３側の第１の被読み取り部である後述するバーコード１１を読み取る第１の読み取り手段と、患者１００側の第２の被読み取り部である後述するバーコード１１を読み取る第２の読み取り手段とを兼ねる。
【００２６】
前記バッグ３内に収納されている輸血または輸液用の液としては、例えば、全血や、血漿製剤、血小板製剤、アルブミン製剤、赤血球製剤等の血液製剤や、高カロリー輸液、脂肪乳剤、電解質輸液等の輸液製剤や、薬液等が挙げられる。以下、前記輸血または輸液用の液を、単に、「液」とも言う。
【００２７】
輸血・輸液セット２は、内腔により輸血・輸液セット２の流路の一部を構成するチューブ２１と、液の流量を調節する流量調節手段として、図示しないローラークレンメ（ローラー型のクレンメ）および点滴筒と、バッグ３に接続される接続部として、鋭利な針先を有する瓶針２２と、患者１００に対して液を供給する供給部として、鋭利な針先を有する穿刺針２３等を備えている。瓶針が前記バッグ３の図示しない栓（ゴム栓）を穿通（穿刺）すると、その瓶針を介し、バッグ３と輸血・輸液セット２とが接続され、バッグ３から輸血・輸液セット２側へ液が供給され得る状態となる。
【００２８】
バッグ３の所定の位置には、第１の被読み取り部として、バーコード（第１の情報担持体）１１が設けられている。このバーコード１１は、後述する患者１００側のバーコード１２が担持する情報（第２の被読み取り部に含まれる情報）と照合することにより患者１００とバッグ３との組み合わせが適切であるか否かが判る情報を担持しており、前記バーコードリーダー６により読み取られる。
【００２９】
このバーコード１１が担持する情報としては、例えば、患者１００を特定し得る情報（例えば、患者のＩＤ番号等）、バッグ３を特定し得る情報（例えば、バッグ（容器）のＩＤ番号等）、バッグ３内の液を特定し得る情報（例えば、液のＩＤ番号等）、バッグ３内の液が輸血用の液（全血や血液成分）の場合のその血液型（例えば、ＡＢＯ式、Ｒｈ式、ＭＮ式、Ｐ式、Ｑ式、Ｋｅｌｌ式、Ｌｕｔｈｅｒａｎ式、Ｄｕｆｆｙ式、Ｋｉｄｄ式、Ｄｉｅｇｏ式、Ｌｅｗｉｓ式等）に関する情報等が挙げられ、これらのうちの１つまたは２つ以上のものを任意に組み合わせて設けることができる。
【００３０】
また、リストバンド４の所定の位置には、第２の被読み取り部として、バーコード（第２の情報担持体）１２が設けられている。このバーコード１２は、前記バーコード１１が担持する情報（第１の被読み取り部に含まれる情報）と照合することにより患者１００とバッグ３との組み合わせが適切であるか否かが判る情報を担持しており、前記バーコードリーダー６により読み取られる。
【００３１】
このバーコード１２が担持する情報としては、例えば、患者１００を特定し得る情報（例えば、患者のＩＤ番号等）、バッグ３を特定し得る情報（例えば、バッグのＩＤ番号等）、バッグ３内の液を特定し得る情報（例えば、液のＩＤ番号等）、患者１００の血液型（例えば、ＡＢＯ式、Ｒｈ式ＭＮ式、Ｐ式、Ｑ式、Ｋｅｌｌ式、Ｌｕｔｈｅｒａｎ式、Ｄｕｆｆｙ式、Ｋｉｄｄ式、Ｄｉｅｇｏ式、Ｌｅｗｉｓ式等）に関する情報等が挙げられ、これらのうちの１つまたは２つ以上のものを任意に組み合わせて設けることができる。
【００３２】
ここで、例えば、患者１００に供給する液が収納されたバッグ３のバーコード１１と、患者１００に装着されるリストバンド４のバーコード１２とに、それぞれ、患者１００を特定し得る情報として、例えば、患者１００のＩＤ番号を示す情報を担持させておく（設けておく）。
【００３３】
そして、患者１００に対して輸血または輸液を行なう際に、バーコードリーダー６によって前記バーコード１１および１２をそれぞれ読み取り、これらバーコードリーダー６によって読み取られたバーコード１１に含まれる情報である患者１００のＩＤ番号と、バーコード１２に含まれる情報である患者１００のＩＤ番号とに基づいて、患者１００とバッグ３との組み合わせが適切であるか否かを判別する。すなわち、バーコード１１側の患者１００のＩＤ番号と、バーコード１２側の患者１００のＩＤ番号とを照合（比較）し、それらが一致する場合は、患者１００とバッグ３との組み合わせが適切であると判別し、一致しない場合は、患者１００とバッグ３との組み合わせが不適切であると判別する。この判別（照合）は、後述する制御装置５によって行なわれる。
【００３４】
なお、バーコード１１および１２の担持する情報が、それぞれ、この他の情報の場合も、同様にして、患者１００とバッグ３との組み合わせが適切であるか否かを判別することができる。
【００３５】
バッグ３にバーコード１１を設ける方法は、特に限定されず、例えば、バーコード１１を印刷等で、直接、バッグ３に設けてもよく、また、バーコード１１が付されたラベル（シート）をバッグ３に貼り付けてもよい。
【００３６】
同様に、リストバンド４にバーコード１２を設ける方法は、特に限定されず、例えば、バーコード１２を印刷等で、直接、リストバンド４に設けてもよく、また、バーコード１２が付されたラベル（シート）をリストバンド４に貼り付けてもよい。
【００３７】
前記バッグ（容器）３に設けられる第１の情報担持体およびリストバンド（装着部材）４に設けられる第２の情報担持体としては、それぞれ、情報を担持することができ、その担持している情報を所定の読み取り手段を用いて（所定の方法で）読み取ることが可能なものであれば、バーコードには限定されず、この他、例えば、２次元コード（２次元のデータシンボル）、光記録媒体、磁気記録媒体、光磁気記録媒体、半導体メモリー、ＩＣチップ、ＩＣタグ等が挙げられ、これらのうちの１つまたは２つ以上のものを任意に組み合わせて用いることができる。これらのうちでは、構成が簡易であるという観点からバーコード、２次元コードまたはＩＣタグが好ましい。
【００３８】
また、第２の被読み取り部は、リストバンド４等の装着部材に設けられる第２の情報担持体には限定されず、例えば、患者１００に備わっている患者１００に固有のパターンであってもよい。また、第２の被読み取り部として、この患者１００に固有のパターンと、前記第２の情報担持体とを併用してもよい。
【００３９】
前記患者１００に固有のパターンとしては、例えば、指紋、掌形、指形、顔形、網膜パターン、声紋、ＤＮＡ型等が挙げられ、これらのうちの１つまたは２つ以上のものを任意に組み合わせて用いることができる。
【００４０】
制御装置５は、例えば、ＣＰＵ５１およびメモリー５２を有するパーソナルコンピュータ、マイクロコンピュータ等のコンピュータ等で構成される。この制御装置５は、例えば、開放装置７と別個に設けられていてもよく、また、その一部または全体が開放装置７に内蔵されていてもよい。
【００４１】
制御装置５のＣＰＵ５１は、例えば、開放装置７の後述するヒータ（加熱手段）７１、表示装置８等、誤輸血・輸液防止システム１の全体の駆動を制御する。前記バーコードリーダー６からの信号（情報）は、この制御装置５に入力される（取り込まれる）。すなわち、バーコード１１に含まれる情報（例えば、患者１００のＩＤ番号）と、バーコード１２に含まれる情報（例えば、患者１００のＩＤ番号）とは、それぞれ、一旦、メモリー５２に記憶（記録）される。そして、ＣＰＵ５１は、メモリー５２からその情報を読み出し、前述したように、バーコード１１に含まれる情報（例えば、患者１００のＩＤ番号）と、バーコード１２に含まれる情報（例えば、患者１００のＩＤ番号）とに基づいて（照合して）、患者１００とバッグ３との組み合わせが適切であるか否かを判別する。従って、ＣＰＵ５１（制御装置５）により、患者１００とバッグ３との組み合わせが適切であるか否かを判別する判別手段の主機能が達成される。
【００４２】
表示装置８は、例えば、液晶表示パネル、有機ＥＬ表示パネル、ＣＲＴ等で構成される。この表示装置８は、例えば、前記制御装置５のＣＰＵ５１が患者１００とバッグ３との組み合わせが適切であるか否かを判別した結果（判別結果）等の各種の情報を表示する。前記判別結果が表示されることにより、患者１００とバッグ３との組み合わせが適切であるか否かを目視で確認することができる。
【００４３】
次に、閉鎖部材（閉鎖手段）９および開放装置（開放手段）７で構成される液供給禁止・禁止解除機構（流路開閉機構）について説明する。
【００４４】
図３は、図１に示す誤輸血・輸液防止システムの閉鎖部材（閉鎖手段）の構成例を示す断面図である。この場合、図３（ａ）には、形状記憶されている形状のとき（チューブに装着されていないとき）の閉鎖部材が示され、図３（ｂ）には、チューブに装着されてチューブ内の流路を閉鎖しているときの閉鎖部材およびそのチューブが示され、図３（ｃ）には、形状記憶されている元の形状に復元したときの閉鎖部材およびチューブが示されている。
【００４５】
本実施形態では、液供給禁止・禁止解除機構として、形状記憶合金（形状記憶性を有する合金）の形状記憶性を利用する方式のものを採用している。
【００４６】
図１および図３に示す閉鎖部材９は、形状記憶合金（形状記憶性を有する合金）で構成され、チューブ２１に設けられるものである。
【００４７】
この閉鎖部材９は、帯状（棒状）の部材を湾曲させた形状をなしており、チューブ２１内の流路を開放する（開く）図３（ａ）に示す形状に形状記憶されている。
【００４８】
閉鎖部材９は、図３（ｂ）に示すように、チューブ２１を押し潰してそのチューブ２１内の流路を閉鎖する（閉じる）ように変形されて、チューブ２１の途中に装着される。これにより、チューブ２１内の流路が閉鎖され、バッグ３内の液の患者１００への供給が禁止（阻止）される。
【００４９】
また、開放装置７は、ケーシング７２と、ケーシング７２内に設置され、閉鎖部材９を加熱するヒータ（加熱手段）７１とを有している。
【００５０】
ケーシング７２には、チューブ２１が着脱自在に装着される図示しない装着部が設けられており、この装着部に、閉鎖部材９が装着されている部位の近傍のチューブ２１を装着する。これにより、ヒータ７１の近傍に閉鎖部材９が位置した状態で、チューブ２１が開放装置７に保持される。
【００５１】
前記制御装置５のＣＰＵ５１は、患者１００とバッグ３との組み合わせが適切であると判別すると、ヒータ７１を作動させ、閉鎖部材９を加熱する。
【００５２】
これにより、閉鎖部材９は、図３（ｃ）に示すように、形状記憶されている元の形状に復元する。これによって、閉鎖部材９による前記チューブ２１内の流路の閉鎖状態が解除され、チューブ２１が自己の復元力（弾性力）により元の形状に復元してその流路が開放され、バッグ３内の液の患者１００への供給の禁止が解除される（バッグ３内の液の患者１００への供給が可能になる）。また、閉鎖部材９は、自重により落下し、チューブ２１から離脱して、開放装置７の外部に排出される。これにより、輸血や輸液を迅速に開始することができる。
【００５３】
一方、ＣＰＵ５１は、患者１００とバッグ３との組み合わせが不適切であると判別すると、ヒータ７１を作動させない。
【００５４】
これによって、閉鎖部材９により前記チューブ２１内の流路の閉鎖状態が維持（保持）され、バッグ３内の液の患者１００への供給が禁止される。これにより、誤輸血や誤輸液を容易かつ確実に防止することができる。
【００５５】
なお、本発明では、液供給禁止・禁止解除機構（閉鎖手段、開放手段）は、前述した構成のものに限定されないことは、言うまでもない。
【００５６】
次に、誤輸血・輸液防止システム１の作用（使用方法の一例）を説明する。
輸血や輸液の際は、まず、作業者（医師や看護師等の医療従事者）は、前記閉鎖部材９がチューブ２１に装着され、その流路が閉鎖されている輸血・輸液セット２と、患者１００に供給する液が収納されたバッグ３と、制御装置５と、バーコードリーダー６と、開放装置７と、表示装置８とを、それぞれ、用意し、その患者１００の所へ運ぶ。患者１００の手首には、予め、その患者１００に対応するリストバンド４が装着されている。
【００５７】
そして、バッグ３を図示しないスタンドに吊り下げるとともに、バッグ３の栓（ゴム栓）に輸血・輸液セット２の瓶針２２を穿通（穿刺）する。これにより、瓶針２２を介し、バッグ３と輸血・輸液セット２のチューブ２１とが接続され、バッグ３からチューブ２１側へ液が供給され得る状態となる。
【００５８】
また、開放装置７の装着部に、閉鎖部材９が装着されている部位の近傍のチューブ２１を装着する。
【００５９】
次に、バーコードリーダー６で、バッグ３のバーコード１１および患者１００のリストバンド４のバーコード１２をそれぞれ読み取る。前述したように、制御装置５のＣＰＵ５１は、バーコードリーダー６からの情報に基づいて、患者１００とバッグ３との組み合わせが適切であるか否かを判別し、適切であると判別した場合は、ヒータ７１を作動させ、閉鎖部材９を加熱し、逆に、不適切であると判別した場合は、ヒータ７１を作動させない。
【００６０】
これにより、前述したように、患者１００とバッグ３との組み合わせが適切である場合は、閉鎖部材９が形状記憶されている元の形状に復元し、チューブ２１内の流路が開放され、バッグ３内の液の患者１００への供給の禁止が解除される。また、表示装置８により、患者１００とバッグ３との組み合わせが適切である旨の判別結果が表示される。作業者は、この判別結果の表示や、閉鎖部材９が落下した（排出された）ことの確認により、患者１００とバッグ３との組み合わせが適切であることを把握することができる。
【００６１】
次に、開放装置７の装着部からチューブ２１を取り外し、輸血・輸液セット２の流路をプライミングし、患者１００の血管に穿刺針２３を穿刺して、輸血（または輸液）を開始する。
【００６２】
一方、前述したように、患者１００とバッグ３との組み合わせが不適切である場合は、閉鎖部材９により前記チューブ２１内の流路の閉鎖状態が維持され、バッグ３内の液の患者１００への供給が禁止される。また、表示装置８により、患者１００とバッグ３との組み合わせが不適切である旨の判別結果が表示される。作業者は、この判別結果の表示や、閉鎖部材９が落下しない（排出されない）ことの確認により、患者１００とバッグ３との組み合わせが不適切であることを把握することができる。
【００６３】
以上説明したように、この誤輸血・輸液防止システム１によれば、患者１００に対して輸血や輸液を行なう際に、自動的に、患者１００と輸血または輸液用の液が収納されたバッグ３との組み合わせが不適切であるか否かを判別し、不適切な場合には、前記バッグ３内の液の患者１００への供給を禁止し、適切な場合には、前記バッグ３内の液の患者１００への供給の禁止を解除する（バッグ３内の液の患者１００への供給が可能になる）。
【００６４】
これにより、誤輸血や誤輸液を容易かつ確実に防止することができる。また、患者１００とバッグ３との組み合わせが適切な場合は、自動的に前記バッグ３内の液の患者１００への供給の禁止が解除されるので、輸血や輸液を迅速に開始することができる。
【００６５】
以上、本発明の誤輸血・輸液防止システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【図面の簡単な説明】
【００６６】
【図１】本発明の誤輸血・輸液防止システムの実施形態を模式的に示す図である。
【図２】図１に示す誤輸血・輸液防止システムの主要部分を示すブロック図である。
【図３】図１に示す誤輸血・輸液防止システムの閉鎖部材（閉鎖手段）の構成例を示す断面図である。
【符号の説明】
【００６７】
１              誤輸血・輸液防止システム
２              輸血・輸液セット
２１            チューブ
２２            瓶針
２３            穿刺針
３              バッグ
４              リストバンド
５              制御装置
５１            ＣＰＵ
５２            メモリー
６              バーコードリーダー
７              開放装置
７１            ヒータ
７２            ケーシング
８              表示装置
９              閉鎖部材
１１、１２      バーコード
１００          患者
【図１】
2005287808.tif 000003
【図２】
2005287808.tif 000004
【図３】
2005287808.tif 000005